(57)【特許請求の範囲】
【請求項１】
中心に配された中心導体と、この中心導体の外側の絶縁被覆層と、この絶縁被覆層の外側のシールド層と、このシールド層の外側の金属テープ層と、この金属テープ層の外側のノンハロゲン系の材料から成るシース層とを有するシールド電線であって、
前記金属テープ層が、金属部分と樹脂テープ部分とを貼り合わせて形成される金属テープを前記金属部分が内側になるように重ね巻きして形成され、
前記金属テープが、前記金属部分の幅と前記樹脂テープ部分の幅が等しいものであり、重なり部分において前記金属部分同士が接触するように折り曲げられたものであり、
前記金属テープ層は、前記金属テープが前記シールド層の外側に巻かれるときに前記金属テープの一部が重なるように巻かれ、前記金属テープの前記折り曲げられた一側部がその次に巻かれた前記金属テープの他の側部に重ねられるように順次重ね巻きされていることを特徴とするシールド電線。
【請求項２】
絶縁被覆された導体線が複数本撚られていることを特徴とする請求項１に記載のシールド電線。
【請求項３】
中心に配された中心導体と、この中心導体の外側の絶縁被覆層と、この絶縁被覆層の外側のシールド層と、このシールド層の外側の金属テープ層と、この金属テープ層の外側のノンハロゲン系の材料から成るシース層とを有するシールド電線の製造方法であって、
前記金属テープ層は、金属部分と樹脂テープ部分の幅を等しく貼り合せて形成された金属テープを、その一側部にその次に巻かれる前記金属テープの他の側部を重ねるように、かつ前記金属部分が内側になるように、前記金属テープの重なり部分において前記金属部分同士が接触するように前記一側部を折り曲げて、前記前記シールド層の外側に順次重ね巻きして形成することを特徴とするシールド電線の製造方法。
【発明の詳細な説明】
【技術分野】
【０００１】
本発明はシールド電線に係り、例えば環境に悪影響を与えることなく難燃性の高いシールド電線に関するものである。
【背景技術】
【０００２】
従来シールド電線のシース層にはＰＶＣ（ポリ塩化ビニル）が含まれており、燃焼した際にＰＶＣに含まれているハロゲン元素（例えば、塩素）が環境に悪影響を与えるという理由から、シース層にハロゲン元素を含まないハロゲンフリー電線の需要が増加している。そこで、環境に悪影響を与えることのないシールド電線が提案されている（例えば特許文献１参照）。しかしながら、シースにハロゲン元素を含まないようにすると、難燃性においてハロゲン元素を含むものよりも劣るため、難燃性の維持が望まれていた。
【０００３】
図５に示すように、特許文献１に開示されているシールド電線１００は、導体１０１上に内部半導電層１０２を介して、架橋ポリエチレン等からなる絶縁層１０３を設け、その上に外部半導電層１０４から構成されるケーブルコア１０５を内部に有している。そして、ケーブルコア１０５の外側には、銅の細線を多数本横巻きしたワイヤシールド１０６が設けられ、その外側にはアルミテープの片面に、熱融着層が設けられているラミネートテープ１０７を、熱融着層を外側に向けて縦添え等により設けられて遮水層が形成されている。さらに、ラミネートテープ１０７の外側の最外層は、ハロゲン元素を含まないプラスチックシース１０８により被覆されており、熱融着層を介してラミネートテープ１０７と一体となるように設けられている。
【特許文献１】特開２００１−６４４６号公報（図１）
【発明の開示】
【発明が解決しようとする課題】
【０００４】
特許文献１に開示されているシールド電線１００では、プラスチックシース１０８の材料にハロゲン元素を含まないノンハロゲン系の材料を用いることにより、燃焼時の塩素ガスやダイオキシン等の有害物質の発生を防止して環境への悪影響を防ぐとともに、アルミテープが貼り付けられたラミネートテープ１０７を重ね巻きすることにより遮水製性の向上を図っている。
しかしながら、ラミネートテープ１０７は燃焼時に大きく収縮する材質であり、重ね巻きされているアルミテープとアルミテープとの間には必ずラミネートテープ１０７が存在するため、シールド電線１００の燃焼時にはラミネートテープ１０７の重なり部分に隙間ができて、この隙間から内部コアの燃焼ガスが噴出して燃焼が継続するおそれがあるという不都合があった。
【０００５】
本発明の目的は、環境保全性が高く、難燃性に優れたシールド電線を提供することにある。
【課題を解決するための手段】
【０００６】
前述した目的を達成するために、本発明にかかるシールド電線は、中心に配された中心導体と、この中心導体の外側の絶縁被覆層と、この絶縁被覆層の外側のシールド層と、このシールド層の外側の金属テープ層と、この金属テープ層の外側のノンハロゲン系の材料から成るシース層とを有するシールド電線であって、前記金属テープ層が、金属部分と樹脂テープ部分とを貼り合わせて形成される金属テープを前記金属部分が内側になるように重ね巻きして形成され、前記金属テープが、重なり部分において前記金属部分同士が接触するように折り曲げられたものであることにある。
【０００７】
このように構成されたシールド電線においては、シールド層とシース層との間の金属テープ層に重ね巻きされている金属テープが、金属部分同士が直接接触するように折り曲げられているので、シールド電線の燃焼時に金属テープの樹脂テープ部分が燃焼したり収縮したりしても、金属部分同士が密着して内部を遮断する。このため、金属テープ層内部から絶縁被覆層が高温のためガス化した可燃性ガスが噴出するのを防止することができ、内部への延焼を防止することができることになる。
【０００８】
また、本発明にかかるシールド電線は、絶縁被覆された導体線が複数本撚られていることにある。
【０００９】
このように構成されたシールド電線においては、複数の絶縁被覆された導体線を撚ることにより、シールド層の内側に隙間があっても内部への延燃を防止することができる。
【発明の効果】
【００１０】
本発明によれば、ノンハロゲン系材料によりシース層を形成することにより環境保全性を維持するとともに、シールド電線の燃焼時には、シールド層とシース層との間の金属テープ層において金属テープの金属部分同士が直接接触して、その内部を遮断するので、難燃性を高めることができるシールド電線を提供することができるという効果が得られる。
【発明を実施するための最良の形態】
【００１１】
以下、本発明に係る実施形態を図面に基づいて詳細に説明する。
図１は本発明のシールド電線に係る実施形態を示す断面図、図２は金属テープの斜視図、図３は金属テープを重ね巻きした状態を示す断面図である。
【００１２】
図１に示すように、本発明の実施形態であるシールド電線１０は、中心に配された中心導体１１と、この中心導体１１の外側の絶縁被覆層１２と、この絶縁被覆層１２の外側のシールド層１３と、このシールド層１３の外側の金属テープ層２０と、この金属テープ層の外側のノンハロゲン系の材料から成るシース１４層とを有するシールド電線１０であって、前記金属テープ層２０が、金属部分２２と樹脂テープ部分２３とを貼り合わせて形成される金属テープ２１を前記金属部分２２が内側になるように重ね巻きして形成され、前記金属テープ２１が、重なり部分において前記金属部分２２同士が接触するように折り曲げられたものである（図３参照）。
【００１３】
金属テープ層２０は、図２に示すような金属テープ２１を、図３に示すように、シールド層１３の外側に、一部重ねて重ね巻きしたものである。
図２に示すように、金属テープ２１は、例えば銅箔やアルミ箔のような金属部分２２と、例えばポリエチレンテレフタレートのような樹脂テープ２３とを貼り合わせ、金属部分２２が外側に位置するように例えば断面Ｊ字状に折り曲げたものである。この金属テープ２１を、図３に示すように、一部が重なるようにシールド層１３の外側に重ね巻きして金属テープ層２０を形成している。
このとき、先に巻いてある金属テープ２１の金属部分２２と、次に巻かれた金属テープ２１の金属部分２２とが、重なり部分２２ａにおいて直接接触するように外側に重ね巻きする。こうして、金属テープ層はその重なりの部分で金属どうしが直接接触する。金属テープの折り返し幅はテープ幅の１／５から３／４とするのがよい。重なり部分の幅をテープ幅の１／５以上とすると、ＶＷ−１の垂直燃焼試験方法（アメリカＵＬ規格）をクリアできるものと思われる。重なり部分があまり大きいと生産性が下がるので重なり部分の幅はせいぜい３／４とするのが現実的である。
【００１４】
また、中心導体１１は、通常、規格されている電気用軟銅線が用いられており、複数本が撚られて形成されている。
なお、図４に示すように、複数の絶縁被覆された導体線を撚り、その外周にシールド層を形成することもできる。図では２心撚りを示したが、３心以上が撚られてもよく、また、単心であってもよい。
絶縁被覆層１２には、例えば、耐熱性のポリエチレンを用いることができる。
また、シールド層１３は、例えば、軟銅線を横巻きして形成することができる。また、編組シールドとすることもできる。スズメッキはあっても、なくてもよい。
また、シース層１４には、例えば、難燃性のポリエチレンなどの難燃性のポリオレフィンを用いることができ、金属水酸化物等の難燃剤や難燃助剤等を適宜配合することもできる。
【００１５】
なお、本発明のシールド電線１０は、前述した実施形態に限定されるものでなく、適宜な変形，改良等が可能である。
例えば、前述した実施形態において、金属テープ２１の折り曲げ形状をＪ字状としたがこれは一例であり、同様の作用・効果を有する形状であれば例えばＳ字状その他の形状でも適用可能である。
また、その他、中心導体１１、絶縁被覆層１２、シールド層１３、シース層１４等において例示した材質等は本発明を達成できるものであれば任意であり、限定されるものではない。
【産業上の利用可能性】
【００１６】
以上のように、本発明に係るシールド電線は、ノンハロゲン系材料によりシース層を形成することにより環境保全性を維持するとともに、シールド電線の燃焼時には、シールド層とシース層との間の金属テープ層において金属テープの金属部分同士が直接接触して内部を遮断するので、難燃性を高めることができるという効果を有し、環境に悪影響を与えることなく難燃性の高いシールド電線として有用である。
【図面の簡単な説明】
【００１７】
【図１】本発明に係るシールド電線の実施形態を示す断面図である。
【図２】金属被覆樹脂テープの斜視図である。
【図３】金属被覆樹脂テープを重ね巻きした状態を示す断面図である。
【図４】２心撚りの中心導体であって、（Ａ）は斜視図、（Ｂ）は断面図である。
【図５】従来のシールド電線を示す断面図である。
【符号の説明】
【００１８】
１０  シールド電線
１１  中心導体
１２  絶縁被覆層
１３  シールド層
１４  シース層
２０  金属被覆樹脂テープ層
２２  金属部分
２２ａ  重なり部分
【図１】
0004830364.tif 000002
【図２】
0004830364.tif 000003
【図３】
0004830364.tif 000004
【図４】
0004830364.tif 000005
【図５】
0004830364.tif 000006